(57)【要約】【課題】複数の波長の光を使用する光ピックアップ装置において、受光検出精度を維持しつつ、薄型化、小型化を実現する。【解決手段】直線偏光であるＤＶＤ・ＣＤ用レーザ光を発するＤＶＤ・ＣＤレーザダイオード２と、ＢＤ用レーザ光を発するＢＤレーザダイオード１と、ＤＶＤ・ＣＤ用レーザ光の一部を正反射するとともに、ＤＶＤ・ＣＤ用レーザ光の一部を透過し、かつ、ＢＤ用レーザ光の復路光を透過するダイクロイックミラー８と、を備える。ダイクロイックミラー８は、ＤＶＤ・ＣＤ用レーザ光の往路光の反射率とＤＶＤ・ＣＤ用レーザ光の復路光の透過率との積が２０％以上、２５％以下になるように形成される。また、受光素子１１は、ダイクロイックミラー８を透過したＤＶＤ・ＣＤ用レーザ光の復路光、または、ダイクロイックミラー８を透過したＢＤ用レーザ光の復路光を受光する。【選択図】図１
2011181166.tif 000002
【特許請求の範囲】
【請求項１】
光ディスクに光を往路光として照射して、前記光ディスクからの反射光を復路光として受光素子で受光する光ピックアップ装置において、
直線偏光である第１の光を発する第１の光源と、
前記第１の光より短い波長の直線偏光である第２の光を発する第２の光源と、
前記第１の光を集光し、前記光ディスクに照射する第１の対物レンズと、
前記第２の光を集光し、前記光ディスクに照射する第２の対物レンズと、
前記第１の光源と前記第１の対物レンズとの間に設けられ、前記第１の光の一部を正反射するとともに、前記第１の光の一部を透過し、かつ、前記第２の光の復路光を透過するダイクロイックミラーと、
を備え、
前記ダイクロイックミラーは、前記第１の光の往路光の反射率と前記第１の光の復路光の透過率との積が２０％以上、２５％以下になるように形成され、
前記受光素子は、前記ダイクロイックミラーを透過した前記第１の光の復路光、
または、前記ダイクロイックミラーを透過した前記第２の光の復路光を受光する、
光ピックアップ装置。
【請求項２】
前記ダイクロイックミラーは、前記第１の光における水平方向の偏光波の反射率が３５％以上、５０％以下であり、前記第１の光における水平方向の偏光波の透過率が５０％以上、６５％以下であり、かつ、前記第１の光における垂直方向の偏光波の反射率が５０％以上、６５％以下であり、かつ、前記第１の光における垂直方向の偏光波の透過率が３５％以上、５０％以下である、
請求項１に記載の光ピックアップ装置。
【請求項３】
前記第１の光源と前記ダイクロイックミラーとの間に、前記第１の光に対して１／４波長の位相差を与える波長板を備えた、
請求項１または請求項２のいずれか一項に記載の光ピックアップ装置。
【発明の詳細な説明】
【技術分野】
【０００１】
本発明は、コンパクトディスク（ＣＤ）、ディジタルバーサタイルディスク（ＤＶＤ）などの光ディスクと、ブルーレイディスク（ＢＤ）の双方の記録再生に使用される光ピックアップ装置に関する。
【背景技術】
【０００２】
光ディスクについて記録再生を行う光ピックアップ装置において、従来は、中心波長８００ｎｍのＣＤ用赤外レーザや中心波長６５０ｎｍのＤＶＤ用赤色レーザなどを出射するレーザダイオードが用いられてきた。近年では、中心波長４０５ｎｍのＢＤ用レーザを用いて高密度記録を行う光ピックアップ装置が実用化されている。また、ＢＤ用光ピックアップ装置を備えた光ディスク装置の市場が拡大している。
【０００３】
しかし、ＢＤとＤＶＤ、ＣＤとが並存している段階では、同じ光ディスク装置で、波長の異なる複数の種類の光ディスクを記録再生可能であることが要請されている。
【０００４】
ＤＶＤ、ＣＤ用のレーザとＢＤ用のレーザとでは、光ディスクの記録面に集光するスポットの径が異なる。また、波長により対物レンズなどの光学部材の屈折率が異なるため、同一の光学系をそのまま共用することはできない。そこで、波長に応じた別々の光学系が設定されることにより、複数の種類の光ディスクに対する記録再生が実現されている。
【０００５】
しかしながら、小型化、軽量化、薄型化が一層求められているノートブック型パソコンなどの電子機器に組み込まれる光ディスク装置の場合、従来のＤＶＤ、ＣＤ用の光ディスク装置と同程度のスペースの中に、ＢＤの記録再生機構を追加して収めなければならないという厳しい要求がある。しかし、ＢＤの記録再生のための光学系を従来の機構とは別個に狭いスペース内に設けることは困難である。
【０００６】
そこで、光学系の一部を共用して、省スペースを図ることが提案されている。
【０００７】
図３は、従来の光ピックアップ装置の光学系の基本的構成を示す概略図である。図３に示すように、従来の光ピックアップ装置においては、ＣＤまたはＤＶＤの記録・再生がなされる場合には、ＤＶＤ・ＣＤレーザダイオード４０１からＤＶＤ・ＣＤの記録・再生のための２波長のレーザが出射される。次に、ＤＶＤ・ＣＤ用の２波長のレーザの往路光が、光学部材４０２を透過する。さらに、ビームスプリッタ４０５を透過した往路光はＤＶＤ・ＣＤ反射板４０６によって８０％以上の往路光が反射され、光学部品４０７を透過して、ＤＶＤ・ＣＤ対物レンズ４０８に送られる。また、特に記録用の場合、ＤＶＤ・ＣＤ反射板４０６において、往路光のうち２０％以下の光が透過し、ＢＤ用レーザ反射板４１０を往路光のほぼ全量を透過して、レーザのパワー制御用として用いられる受光素子４１５に入射する。
【０００８】
ここで、光学部品４０７は、ＤＶＤおよびＣＤに対応可能なように必要な開口数を実現するための開口フィルタと、ＤＶＤ用の光に対して反応する偏光ホログラムと、往路光に対して、１／４波長の位相差を生じさせる１／４波長板とを有している。光学部品４０７によって円偏光に偏光され、ＤＶＤ・ＣＤ対物レンズ４０８によって集光された往路光は光ディスク４０９に照射される。光ディスク４０９から反射したＤＶＤ・ＣＤ用の復路光は、往路と同行程をたどり、光学部品４０７によって直線偏光に戻される。さらに、復路光は、往路とは偏光方向が直交しているためＤＶＤ・ＣＤ反射板４０６ではほぼ全光量が反射し、往路と同様にビームスプリッタ４０５を透過し、往路とは偏光方向が直交しているため光学部材４０２によって復路光は反射され、受光素子４１３に受光される。
【０００９】
一方、ＢＤを記録・再生する場合には、ＢＤレーザダイオード４０３からＢＤ用レーザが出射される。次に、ＢＤ用レーザの往路光は、光学部材４０４を通過する。さらに、ビームスプリッタ４０５の反射面によって、往路光は反射される。次に、ＤＶＤ・ＣＤ反射板４０６を透過した往路光は、ＢＤ用レーザ反射板４１０によって８０％以上の往路光が反射され、光学部品４１１を透過して、ＢＤ対物レンズ４１２に送られる。また、特に記録用の場合、ＢＤ用レーザ反射板４１０において、往路光のうち２０％以下の光が透過して、レーザのパワー制御用として用いられる受光素子４１３に入射する。
【００１０】
ここで光学部品４１１は、ＢＤ用の光に対して、１／４波長の位相差を生じさせる１／４波長板を有している。光学部品４１１によって円偏光に偏光され、ＢＤ対物レンズ４１２によって集光された往路光は光ディスク４０９に照射される。光ディスク４０９から反射したＢＤ用の復路光は、往路と同行程をたどり、光学部品４１１によって直線偏光に戻される。さらに、復路光は、往路とは偏光方向が直交しているためＢＤ用レーザ反射板４１０ではほぼ全光量が反射し、往路と同様にＤＶＤ・ＣＤ反射板４０６を透過しビームスプリッタ４０５の反射面によって反射され、往路とは偏光方向が直交しているため光学部材４０４によって反射され、受光素子４１３に受光される。
【００１１】
この構成により、ＤＶＤ、ＣＤと、ＢＤに対応した光ディスクへの記録・再生が可能になる。
【００１２】
なお、ＤＶＤ、ＣＤ、ＢＤの各波長に対応した光ピックアップ装置は、例えば特許文献１に開示されている。
【先行技術文献】
【特許文献】
【００１３】
【特許文献１】特開２００９−１９９６７２号公報
【発明の概要】
【発明が解決しようとする課題】
【００１４】
従来の光ピックアップ装置においては、光ディスクへの往路光と復路光での位相差を反転させるための１／４波長板が対物レンズの近傍に取付けられる。そのため、光ピックアップ装置の薄型化、小型化の制約になるという問題点があった。
【００１５】
本発明は、上記課題を解決するためになされたもので、例えばＢＤ、ＣＤのように複数の波長の光を使用する光ピックアップ装置において、受光検出精度を維持しつつ、薄型化、小型化を実現可能な光ピックアップ装置を提供することを目的とする。
【課題を解決するための手段】
【００１６】
本発明の光ピックアップ装置は、光ディスクに光を往路光として照射して、光ディスクからの反射光を復路光として受光素子で受光する光ピックアップ装置において、直線偏光である第１の光を発する第１の光源と、第１の光より短い波長の直線偏光である第２の光を発する第２の光源と、第１の光を集光し、光ディスクに照射する第１の対物レンズと、第２の光を集光し、光ディスクに照射する第２の対物レンズと、第１の光源と第１の対物レンズとの間に設けられ、第１の光の一部を正反射するとともに、第１の光の一部を透過し、かつ、第２の光の復路光を透過するダイクロイックミラーと、を備え、ダイクロイックミラーは、第１の光の往路光の反射率と第１の光の復路光の透過率との積がダイクロイックミラー８に入射する偏光方向に依らず２０％以上、２５％以下になるように形成され、受光素子は、ダイクロイックミラーを透過した第１の光の復路光、または、ダイクロイックミラーを透過した第２の光の復路光を受光する。
【００１７】
このような構成によれば、従来例のようにダイクロイックミラー８への入射が往路光と復路光での偏光方向を直交させることなく、第１の光が直線偏光のまま往路光として光ディスクに照射され、第１の光の復路光が、同一の偏光方向のままダイクロイックミラーに入射しても、受光素子が信号として検出できる。また、再生用光ピックアップ装置の場合、レーザダイオード近傍の受光素子でパワー制御するため記録用光ピックアップ装置のように、往路光のみをレーザーパワー制御用の受光素子に導くことがない。よって、レーザ反射板の透過・反射率を偏光方向によって往路・復路で変化させる必要はない。したがって、第１の光に対して、光ディスクへの往路光と復路光での位相差を反転させるための１／４波長板を対物レンズの近傍に取付けなくてもよい。
【発明の効果】
【００１８】
例えばＢＤ、ＤＶＤ、ＣＤのように複数の波長の光を使用する光ピックアップ装置において、受光検出精度を維持しつつ、薄型化、小型化を実現可能な光ピックアップ装置を提供できる。
【図面の簡単な説明】
【００１９】
【図１】実施の形態における光ピックアップ装置の概略図
【図２】同ダイクロイックミラーの効率とジッターとの関係図
【図３】従来の光ピックアップ装置の概略図
【発明を実施するための形態】
【００２０】
（実施の形態）
［１．光ピックアップ装置１００の概要］
図１に示すように、本実施の形態における光ピックアップ装置１００は、ＢＤ、ＤＶＤ、ＣＤそれぞれの光ディスクを再生するための三つの波長のレーザダイオードを備えている。  さらに、光ピックアップ装置１００は、第１の光であるＤＶＤ・ＣＤ用レーザ光に対して、偏光方向によって、約１／４〜１／２の光量を反射・透過し、第２の光であるＢＤ用レーザ光に対して、ほぼ全てを透過するダイクロイックミラー８を備えた光路を有する。
【００２１】
［２．光ピックアップ装置１００の構成］
図１に示すように、光ピックアップ装置１００は、第１の光源としての水平方向に約１００から１２０μｍ程度離れた位置で発光するＤＶＤ・ＣＤ用レーザを具備するＤＶＤ・ＣＤレーザダイオード２と、第２の光源としてのＢＤレーザダイオード１を備える。以下の説明において、光ディスク１３のディスク面と平行な方向を水平方向と称し、垂直な方向を垂直方向と称する。
【００２２】
光ピックアップ装置１００は、第１の対物レンズであるＤＶＤ・ＣＤ対物レンズ６および第２の対物レンズであるＢＤ対物レンズ７を備える。
【００２３】
さらに、光ピックアップ装置１００は、ＤＶＤ・ＣＤ用レーザ光に対して、偏光方向によって、約１／４〜１／２の光量を反射・透過し、ＢＤ用レーザ光に対して、ほぼ全てを透過するダイクロイックミラー８を備えた光路を有する。さらに、光ピックアップ装置１００は、ＤＶＤ・ＣＤレーザダイオード２の水平方向に対する垂直方向の位相をＤＶＤ波長の１／４だけずらすＤＶＤ用波長板９とＢＤ再生光源の水平方向に対する垂直方向の位相をＢＤ波長の１／４だけずらすＢＤ用波長板１０を備える。さらに光ディスク１３に信号情報を電気信号に変換して出力する受光素子１１を備える。
【００２４】
［３．ダイクロイックミラー８の構成］
本発明は、ダイクロイックミラー８の構造に特徴がある。
【００２５】
図１に示すように、ダイクロイックミラー８は、石英ガラス板などからなる基板のＤＶＤ・ＣＤレーザダイオード２と対面する側の面にＤＶＤ・ＣＤ波長の光に対して、偏光方向によって、約１／４〜１／２の光量を反射・透過し、ＢＤ用レーザ光に対しては、ほぼ全光量を透過させる特性のダイクロイック膜が形成されている。
【００２６】
ダイクロイック膜は、誘電体膜を多層蒸着させたもので、ＴｉＯ2（二酸化チタン）などの高屈折率部材と、ＳｉＯ2（二酸化珪素）などの低屈折率部材と、その中間部材を積層して組み合わせたものである。
【００２７】
積層される膜の数が増加するほど、波長に対して急峻な透過・反射分光特性を得ることができる。空気に比べて屈折率が高い石英ガラスなどの物質で光が反射する場合、反射本軸に対し垂直な偏光方向は反射しやすく、水平な偏光方向では反射しにくい特性がある。このような石英ガラスに２０層から３０層の薄膜を積層することにより、ＢＤ用レーザの光はほぼ全透過し、ＤＶＤ・ＣＤ用レーザ光に対して、偏光方向によって、約１／４〜１／２の光量を反射・透過するダイクロイック膜が形成される。
【００２８】
［４．光ピックアップ装置の動作］
図１に示すように、ＤＶＤ・ＣＤレーザダイオード２は、中心波長６５０ｎｍのＤＶＤ往路光を出射する。ＤＶＤ往路光は、ＤＶＤ／ＣＤ発光点を水平方向に並べて配置する必要があるため、水平方向の直線偏光である。ＤＶＤ用波長板９により、円偏光に変換される。また、円偏光に変換されたＤＶＤ往路光は、ダイクロイックミラー８により約１／２の光量が正反射される。さらに、ＤＶＤ往路光は、ビームスプリッタ１２でほぼ全光量が透過し、コリメータレンズ５により平行光に変換される。円偏光の平行光であるＤＶＤ往路光は、ＤＶＤ・ＣＤ用レーザ反射板３で反射してＤＶＤ用対物レンズにより光ディスク１３の信号面に集光される。
【００２９】
一方、ＢＤレーザダイオード１は、中心波長４０５ｎｍのＢＤ往路光を出射する。ＢＤ往路光は、垂直方向の直線偏光となるようＢＤレーザダイオード１を配置する。ＢＤ往路光は、ビームスプリッタ１２によりほぼ全光量が反射される。反射されたＢＤ往路光は、コリメータレンズ５により平行光に変換される。平行光のＢＤ往路光はＤＶＤ・ＣＤ用レーザ反射板３を透過する。さらに平行光のＢＤ往路光は、ＢＤ用レーザ反射板４により反射される。またＢＤ往路光は、ＢＤ用波長板１０を透過して円偏光に変換される。円偏光の平行光であるＢＤ往路光は、ＢＤ対物レンズ７により光ディスク１３の信号面に集光される。
【００３０】
次に、光ディスク１３によって反射されたＤＶＤ復路光は、ＤＶＤ・ＣＤ対物レンズ６により平行光に変換される。さらに、ＤＶＤ復路光は、ＤＶＤ・ＣＤ用レーザ反射板３により再度反射される。さらに、ＤＶＤ復路光は、コリメータレンズ５により収束光に変換され、ビームスプリッタ１２を透過する。円偏光のＤＶＤ復路光は、ダイクロイックミラー８で約１／２の光が透過する。さらに、ダイクロイックミラー８を透過したＤＶＤ復路光は、検出レンズ１４によりサーボ信号を生成するようビーム形状が変形される。さらに、受光素子１１により、光ディスク１３の信号情報とサーボ信号が検出される。
【００３１】
また、ＤＶＤ復路光のうち、ダイクロイックミラー８で反射される約１／２の光はＤＶＤ用波長板９を通ることにより円偏光が垂直方向の直線偏光となり、ＤＶＤ・ＣＤレーザダイオード２に戻る。このため、ＤＶＤ・ＣＤ用レーザ光に往路光との干渉によるノイズが発生する。しかしＤＶＤ復路光は、ＤＶＤ往路光である水平方向の直線偏光と直交した垂直方向の直線偏光のため、光の干渉によるノイズの発生を軽減することができる。
【００３２】
一方、ＢＤ復路光は、ＢＤ対物レンズ７により平行光に変換される。さらに、ＢＤ復路光は、ＢＤ用波長板１０を透過することによって円偏光のＢＤ復路光は往路とは偏光方向が９０度異なる水平方向の直線偏光となる。さらに、ＢＤ復路光は、ＢＤ用レーザ反射板４により反射され、ＤＶＤ・ＣＤ用レーザ反射板３を透過し、コリメータレンズ５により収束光に変換される。このＢＤ復路光の収束光は、ＢＤ往路光とは偏光方向が直交している。ここで、ビームスプリッタ１２は、垂直方向の偏光であるＢＤ往路光をほぼ全反射し、水平方向の偏光であるＢＤ復路光を、ほぼ全透過する。すなわち、ＢＤ復路光は、ほぼ全量がダイクロイックミラー８に到達する。
【００３３】
さらに、ＢＤ復路光は、ダイクロイックミラー８を透過する。ＤＶＤ復路光と同様に、ＢＤ復路光は、検出レンズ１４でサーボ信号を生成するように、そのビーム形状が変形される。最後に、受光素子１１は、光ディスク１３の信号情報およびサーボ信号を検出する。
【００３４】
また、ダイクロイックミラー８がＢＤ復路光のほぼ全てを透過するため、ＢＤ復路光は、ＤＶＤ用波長板９に実質的に照射されない。したがって、ＢＤ復路光は、ＤＶＤ・ＣＤレーザダイオード２に実質的に戻らない。ところで、ＤＶＤ用波長板９として従来の水晶から最近は樹脂部材が用いられることが多い。しかし樹脂部材は、ＢＤ用レーザ光が有する波長帯域の光が長時間照射されると劣化する。本実施の形態においては、ＤＶＤ用波長板９に、ＢＤ復路光が実質的に照射されないので、ＤＶＤ用波長板９に樹脂部材を用いることができる。
【００３５】
［５．ダイクロイックミラー８の作用］
上述のとおり、ダイクロイックミラー８は、ＤＶＤ往路光の一部を正反射するとともに、ＤＶＤ往路光の一部を透過する。また、ダイクロイックミラー８は、ＤＶＤ復路光の一部を正反射するとともに、ＤＶＤ復路光の一部を透過する。また、ダイクロイックミラー８は、ＢＤ復路光のほぼ全てを透過する。
【００３６】
具体的には、ダイクロイックミラー８は、ＤＶＤ波長の水平方向の偏光波に対して、２８％以上、５０％以下の反射率を有し、５０％以上、７２％以下の透過率を有する。ここで、反射率と透過率との和は１００％以下になる。
【００３７】
また、ダイクロイックミラー８は、ＤＶＤ波長の垂直方向の偏光波に対して、５０％以上、７２％以下の反射率を有し、２８％以上、５０％以下の透過率を有する。ここで、反射率と透過率との和は１００％以下になる。
【００３８】
このとき、ダイクロイックミラー８の効率は２０％以上、２５％以下になる。ここで、ダイクロイックミラー８の効率とは、ＤＶＤ往路光の反射率と、ＤＶＤ復路光の透過率の積によって算出される。
【００３９】
ダイクロイックミラー８は、ＤＶＤ往路光を反射させ、かつ、ＤＶＤ復路光を透過させる必要がある。したがって、ダイクロイックミラー８の効率を最大にするために、ＤＶＤ往路光の反射率の上限値が５０％に定まる。すなわち、ダイクロイックミラー８の効率の上限値は、２５％に定まる。
【００４０】
ところで、ＤＶＤメディアのうち、例えばＤＶＤ−ＲＡＭ、ＤＶＤ−ＲＷなどの低反射光ディスクは、受光素子１１で検出される信号レベルによる再生性能ジッターへの影響が大きく、信号レベルが大きく低下するとジッターが悪化する。
【００４１】
そこで発明者らは、低反射光ディスクを用いて、種々の効率を有するダイクロイックミラー８とジッター発生率との関係を調査した。その結果、図２に示すように、ダイクロイックミラー８の効率が２０％未満の場合には、ジッター発生率が急激に増加することがわかった。したがって、ダイクロイックミラー８の効率は２０％以上が好ましい。
【００４２】
また、図２に示すように、ダイクロイックミラー８の効率は、さらにジッター発生率が低減する２２．８％以上、２５％以下が、より好ましい。この場合、ダイクロイックミラー８は、ＤＶＤ波長の水平方向の偏光波に対して、３５％以上、５０％以下の反射率を有し、５０％以上、６５％以下の透過率を有する。また、ここで、反射率と透過率との和は１００％以下になる。
【００４３】
また、ダイクロイックミラー８は、ＤＶＤ波長の垂直方向の偏光波に対して、５０％以上、６５％以下の反射率を有し、３５％以上、５０％以下の透過率を有する。ここで、反射率と透過率との和は１００％以下になる。
【００４４】
また、光ディスク１３に複屈折がある場合、ＤＶＤ復路光は、偏光方向が変化する。従来技術（図３）においては、復路の偏光方向である垂直方向の偏光方向から複屈折分だけ偏光方向が変化する。よって光学部材４０２での反射率が低下し受光信号レベルが低下する。複屈折が非常に大きく、復路の偏光方向の垂直方向かが水平方向の変更方向に変わってしまうと光学部材４０２でほぼ全てを反射してしまい。受光検出素子４１４には信号は戻ってこない。しかし本実施の形態においては、複屈折が非常に大きい光ディスク１３が用いられ、ＤＶＤ復路光が垂直方向の直線偏光に変換されたとしても、ダイクロイックミラー８の効率低下は許容範囲内に抑えられる。その理由は、ダイクロイックミラー８が、垂直方向の直線偏光に対して、最小でも３５％の透過率を有するためである。
【００４５】
一方、光ディスク１３がＢＤの場合は、光ディスク１３がＤＶＤ・ＣＤの場合と比較して複屈折が小さい。これは、ＢＤにおける表面から記録層までの厚み（０．１ｍｍ）が、ＤＶＤ・ＣＤにおける表面から記録層までの厚み（０．６ｍｍ〜１．２ｍｍ）と比較して小さいためである。したがって、ダイクロイックミラー８は、ＢＤ復路光のほぼ全てを透過する。
【００４６】
なお、光ピックアップ装置１００は、ＤＶＤ用波長板９を省略した構成でもよい。この場合においても、ダイクロイックミラー８は、偏光方向による透過率の変化が抑制された特性を有するため、再生性能ジッターへの影響は小さい。したがって、受光検出精度を維持することができる。
【００４７】
［６．まとめ］
本実施の形態の光ピックアップ装置１００は、直線偏光であるＤＶＤ・ＣＤ用レーザ光を発するＤＶＤ・ＣＤレーザダイオード２と、ＢＤ用レーザ光を発するＢＤレーザダイオード１と、ＤＶＤ・ＣＤ用レーザ光を集光し、光ディスク１３に照射するＤＶＤ・ＣＤ対物レンズ６と、ＢＤ用レーザ光を集光し、光ディスク１３に照射するＢＤ対物レンズ７と、ＤＶＤ・ＣＤレーザダイオード２とＤＶＤ・ＣＤ対物レンズ６との間に設けられ、ＤＶＤ・ＣＤ用レーザ光の一部を正反射するとともに、ＤＶＤ・ＣＤ用レーザ光の一部を透過し、かつ、ＢＤ用レーザ光の復路光を透過するダイクロイックミラー８と、を備える。ダイクロイックミラー８は、ＤＶＤ・ＣＤ用レーザ光の往路光の反射率とＤＶＤ・ＣＤ用レーザ光の復路光の透過率との積が２０％以上、２５％以下になるように形成される。また、受光素子１１は、ダイクロイックミラー８を透過したＤＶＤ・ＣＤ用レーザ光の復路光、または、ダイクロイックミラー８を透過したＢＤ用レーザ光の復路光を受光する。
【００４８】
このような構成によれば、ＤＶＤ・ＣＤ用レーザ光が直線偏光のまま往路光として光ディスク１３に照射され、ＤＶＤ・ＣＤ用レーザ光の復路光が、同一の偏光方向のままダイクロイックミラー８に入射しても、受光素子１１が信号として検出できる。したがって、ＤＶＤ・ＣＤ用レーザ光に対して、光ディスク１３への往路光と復路光での位相差を反転させるための１／４波長板をＤＶＤ・ＣＤ対物レンズ６の近傍に取付けなくてもよい。
【産業上の利用可能性】
【００４９】
本発明によれば、例えばＢＤ、ＣＤのように複数の波長の光を使用する光ピックアップ装置において、受光検出精度を維持しつつ、薄型化、小型化を実現できる。したがって、本発明は、ノートブックパソコンなどに用いられる光ディスク装置などに広く有用である。
【符号の説明】
【００５０】
１，４０３    ＢＤレーザダイオード
２，４０１    ＤＶＤ・ＣＤレーザダイオード
３    ＤＶＤ・ＣＤ用レーザ反射板
４，４１０    ＢＤ用レーザ反射板
５    コリメータレンズ
６，４０８    ＤＶＤ・ＣＤ対物レンズ
７，４１２    ＢＤ対物レンズ
８    ダイクロイックミラー
９    ＤＶＤ用波長板
１０    ＢＤ用波長板
１１，４１３，４１５    受光素子
１２，４０５    ビームスプリッタ
１３，４０９    光ディスク
１４    検出レンズ
１００    光ピックアップ装置
４０２，４０４    光学部材
４０６    ＤＶＤ・ＣＤ反射板
４０７，４１１    光学部品
【図１】
2011181166.tif 000003
【図２】
2011181166.tif 000004
【図３】
2011181166.tif 000005